(57)【要約】【課題】攻撃されやすい新聞取出口周りを補強することにより、防盗性を向上させた新聞自動販売機を提供すること。【解決手段】新聞収納ラックに収納された新聞を上から繰り出して新聞取出口５１ｃへ搬出する新聞自動販売機において、新聞取出口５１ｃが形成された化粧枠５１に取り付けられ、新聞収納ラックから繰り出された新聞の幅方向の移動を規制する一対のガイド側板６１と、一対のガイド側板６１の間に設けられ、前縁６２ａが新聞取出口５１ｃの上縁後方部となる化粧枠５１に連なるとともに、新聞取出口５１ｃから奥方に向けて漸次高くなるように傾斜した態様で配設された上ガイド板６１と、一対のガイド側板６１の間に設けられ、前縁６３ａが新聞取出口５１ｃの下縁後方部となる化粧枠５１に連なるとともに、新聞取出口５１ｃから奥方に向けて漸次低くなるように傾斜した態様で配設された下ガイド板６３とを備えるようにした。【選択図】        図１０
2010003261.tif 000002
【特許請求の範囲】
【請求項１】
新聞収納ラックに収納された新聞を上から繰り出して新聞取出口へ搬出する新聞自動販売機において、
新聞取出口が形成された化粧枠に取り付けられ、新聞収納ラックから繰り出された新聞の幅方向の移動を規制する一対のガイド側板と、
一対のガイド側板間に設けられ、前縁が新聞取出口の上縁後方部となる化粧枠に連なるとともに、新聞取出口から奥方に向けて漸次高くなるように傾斜した態様で配設された上ガイド板と、
一対のガイド側板間に設けられ、前縁が新聞取出口の下縁後方部となる化粧枠に連なるとともに、新聞取出口から奥方に向けて漸次低くなるように傾斜した態様で配設された下ガイド板と
を備えたことを特徴とする新聞自動販売機。
【請求項２】
前記新聞取出口の奥方上方部に支承され、奥方から手前側に向けて漸次低くなるように傾斜した状態で前記新聞取出口を閉塞するフラッパを備えるとともに、フラッパに過大な力が作用した場合に前記上ガイド板がフラッパを支えることを特徴とする請求項１に記載の新聞自動販売機。
【請求項３】
下ガイド板の前縁が連なる化粧枠の下縁後方部に水抜通路を設けたことを特徴とする請求項１または２に記載の新聞自動販売機。
【請求項４】
前記下ガイド板は、前縁を回動中心として回動可能であって、後縁部から側方に突出し、ガイド側板と当接することにより係止される係止片を有したことを特徴とする請求項１〜３のいずれか一つに記載の新聞自動販売機。
【発明の詳細な説明】
【技術分野】
【０００１】
本発明は、新聞を販売する新聞自動販売機に関するものである。
【背景技術】
【０００２】
新聞を販売する新聞自動販売機は、前面が開口した箱状の本体キャビネットと、本体キャビネットの前面開口を閉塞する外扉とを備えている。本体キャビネットには、上下方向に複数段の棚が設けてあり、各棚には、新聞収納ラックが引き出し可能に搭載してある。新聞収納ラックは、販売する新聞を積層した状態で収納可能であって、販売指令に対応して一冊ずつ新聞を繰り出すようになっている。
【０００３】
外扉は、本体キャビネットの新聞収納ラックに１対１で対応するように、上下方向に複数の新聞取出口を有している。新聞取出口は、通常の状態（販売待機状態）でシャッターにより閉塞され、新聞収納ラックから新聞が繰り出されると、その新聞がシャッターを開いて、新聞の一部が現れるようになっている（例えば、非特許文献１参照）。
【０００４】
ところで、新聞収納ラックから最初に繰り出される新聞と最後に繰り出される新聞とでは、繰り出し高さが大きく異なることになる。したがって、最初に繰り出される新聞と最後に繰り出される新聞とがいずれも新聞取出口に搬出されるように、最初に繰り出される新聞の繰出位置と最後に繰り出される新聞の繰出位置との中間位置に新聞取出口を設けることが要求される。
【０００５】
【非特許文献１】近畿車輛株式会社  「近畿車輌-新聞自動販売機-KNC-10」［平成２０年６月１日検索］、インターネット＜URL：http://www.kinkisharyo.co.jp/ja/sanki/sa-seihin/sa-knc-10.htm＞
【発明の開示】
【発明が解決しようとする課題】
【０００６】
しかしながら、最初に繰り出される新聞の繰出位置と最後に繰り出される新聞の繰出位置との中間位置に新聞取出口を設けたとしても、新聞収納ラックに多数の新聞を収納するようにすると、最初のほうに繰り出される新聞や、最後のほうに繰り出される新聞が新聞取出口に搬出されない事態が生じうる。また、硬貨を受け付ける硬貨投入口や、紙幣を受け付ける紙幣挿入口が新聞取出口の近傍に設けられるために、新聞取出口が攻撃されることが多かった。
【０００７】
本発明は、上記実情に鑑みて、新聞収納ラックに多数の新聞を収納するようにした場合であっても、最初のほうに繰り出される新聞や、最後のほうに繰り出される新聞を確実に新聞取出口に搬出できるようにするとともに、攻撃されやすい新聞取出口周りを補強することにより、防盗性を向上させた新聞自動販売機を提供することを目的とする。
【課題を解決するための手段】
【０００８】
上記の目的を達成するために、本発明の請求項１に係る新聞自動販売機は、新聞収納ラックに収納された新聞を上から繰り出して新聞取出口へ搬出する新聞自動販売機において、新聞取出口が形成された化粧枠に取り付けられ、新聞収納ラックから繰り出された新聞の幅方向の移動を規制する一対のガイド側板と、一対のガイド側板間に設けられ、前縁が新聞取出口の上縁後方部となる化粧枠に連なるとともに、新聞取出口から奥方に向けて漸次高くなるように傾斜した態様で配設された上ガイド板と、一対のガイド側板間に設けられ、前縁が新聞取出口の下縁後方部となる化粧枠に連なるとともに、新聞取出口から奥方に向けて漸次低くなるように傾斜した態様で配設された下ガイド板とを備えたことを特徴とする。
【０００９】
また、本発明の請求項２に係る新聞自動販売機は、上記請求項１において、前記新聞取出口の奥方上方部に支承され、奥方から手前側に向けて漸次低くなるように傾斜した状態で前記新聞取出口を閉塞するフラッパを備えるとともに、フラッパに過大な力が作用した場合に前記上ガイド板がフラッパを支えることを特徴とする。
【００１０】
また、本発明の請求項３に係る新聞自動販売機は、上記請求項１または２において、下ガイド板の前縁が連なる化粧枠の下縁後方部に水抜通路を設けたことを特徴とする。
【００１１】
また、本発明の請求項４に係る新聞自動販売機は、上記請求項１〜３のいずれか一つにおいて、前記下ガイド板は、前縁を回動中心として回動可能であって、後縁部から側方に突出し、ガイド側板と当接することにより係止される係止片を有したことを特徴とする。
【発明の効果】
【００１２】
本発明に係る新聞自動販売機は、新聞取出口が形成された化粧枠に取り付けられ、新聞収納ラックから繰り出された新聞の幅方向の移動を規制する一対のガイド側板と、一対のガイド側板間に設けられ、前縁が新聞取出口の上縁後方部となる化粧枠に連なるとともに、新聞取出口から奥方に向けて漸次高くなるように傾斜した態様で配設された上ガイド板と、一対のガイド側板間に設けられ、前縁が新聞取出口の下縁後方部となる化粧枠に連なるとともに、新聞取出口から奥方に向けて漸次低くなるように傾斜した態様で配設された下ガイド板とを備えたので、新聞収納ラックに多数の新聞を収納するようにした場合であっても、最初のほうに繰り出される新聞や、最後のほうに繰り出される新聞を確実に新聞取出口に搬出でき、一対のガイド側板、上ガイド板、下ガイド板によって、攻撃されやすい新聞取出口周りが補強され、防盗性を向上させることができる。
【００１３】
また、本発明に係る新聞自動販売機は、フラッパに過大な力が作用した場合に上ガイド板がフラッパを支えるので、フラッパが破壊される事態を抑制できる。
【００１４】
また、本発明に係る新聞自動販売機は、下ガイド板の前縁が連なる化粧枠の下縁後方部に水抜通路を設けたので、新聞取出口の後方部に雨水が浸入しても、水抜通路から排出させることができる。
【００１５】
また、本発明に係る新聞自動販売機は、下ガイド板が前縁を回動中心として回動可能であって、後縁部から側方に突出した係止片がガイド側板に当接することにより係止されるので、必要に応じて下ガイド板を回動させることができる。
【発明を実施するための最良の形態】
【００１６】
以下に添付図面を参照して、本発明に係る新聞自動販売機の好適な実施の形態を詳細に説明する。なお、この実施の形態によりこの発明が限定されるものではない。
【００１７】
図１は、本発明の実施の形態である新聞自動販売機を示す正面図である。本発明の実施の形態である新聞自動販売機は、新聞を販売する自動販売機であって、一台で複数種類（本実施の形態である新聞自動販売機は最大７種類）の新聞を販売できるようになっている。
【００１８】
新聞自動販売機は、前面が開口した箱状の本体キャビネット１と、本体キャビネット１の前面開口を閉塞する外扉２とを備えている。
【００１９】
本体キャビネット１は、鋼板を適宜組み合わせたもので、上下方向に複数段の棚が設けてあり、各棚には、新聞収納ラック３が引き出し可能に搭載してある（図２参照）（本実施の形態である新聞自動販売機は７つの新聞収納ラック３が搭載してある。）。新聞収納ラック３は、販売する新聞を長手方向が新聞自動販売機の幅方向となるように積載した状態で収納可能であって、同一種類の新聞を積載した状態で収納するようになっている。また、新聞収納ラック３は、販売指令にしたがって新聞を短手方向に一冊ずつ繰り出し、搬出するようになっている。
【００２０】
外扉２は、鋼板を適宜組み合わせたもので、本体キャビネット１の左側縁に支承してある。外扉２の右側中程には、ハンドルロック２１が配設してあり、外扉２を閉塞した状態で施錠可能となっている。
【００２１】
また、外扉２の右側には、硬貨投入口２２、紙幣挿入口２３、電子マネー受付部２４、一体表示器２５、返却レバー２６、返却口２７が配設してある。硬貨投入口２２は、硬貨を受け付けるための開口であって、硬貨投入口２２から投入された硬貨は、外扉２の背面内側に配設したコインメカニズム（硬貨処理装置）（図示せず）に収容されるようになっている。紙幣挿入口２３は、紙幣を受け付けるための開口であって、紙幣挿入口２３から挿入された紙幣は、外扉２の背面内側に配設したビルバリデータ（紙幣処理装置）（図示せず）に収容されるようになっている。電子マネー受付部２４は、電子マネーがチャージされたカード等の記録媒体を受け付ける部分であって、記録媒体がかざされると、記録媒体との間で電子マネーデータを送受信することにより、対価を収受するようになっている。一体表示器２５は、販売中、釣り銭切れ、投入金額、お札禁止等の各種情報を表示するためのものである。返却レバー２６は、取引の中断を指示するためのものであって、返却レバー２６が操作されると、取引が中断され、釣り銭等を返却口２７に放出するようになっている。
【００２２】
また、外扉２には、表示選択装置４と新聞取出口装置５とが上下方向に複数設けてある（本実施の形態である新聞自動販売機は７つの表示選択装置４と７つの新聞取出口装置５とが設けてある）。表示選択装置４と新聞取出口装置５とは、１対１の関係を有しており、本体キャビネット１に搭載した新聞収納ラック３と対応するように設けてある。
【００２３】
表示選択装置４は、新聞の紙名（朝刊、夕刊の別を含む）が記載されたプレート４１と、プレート４１に記載された新聞を選択する選択ボタン４２とを有している。プレート４１は、外扉２の背面に装着してあり、外扉２を開放した状態で入れ替え可能となっている。選択ボタン４２は、例えば、点灯可能な押しボタンスイッチで構成してあり、選択可能な場合に点灯し、選択された場合には一定時間点滅するように制御される。なお、最上段の表示選択装置４には、上方に隣接する展示部４３が設けてある。展示部４３には、透明なパネル４３ａが嵌め込んであり、注目記事が掲載された新聞を展示できるようになっている。
【００２４】
新聞取出口装置５は、図２に示すように、新聞収納ラック３から搬出された新聞を取り出すためのものである。新聞取出口装置５は、図３に示すように、前面の一部が外扉２の前面に露出する化粧枠５１を備えている。図３に示すように、化粧枠５１は、新聞自動販売機の幅方向に幅広となる合成樹脂製の枠体であって、枠部５１ａと凸部５１ｂとを有している。枠部５１ａは、外扉２に取り付けられ、前面が外扉２の背面に密着するようになっており、外形が略矩形であって、奥行き方向に厚みを有している。凸部５１ｂは、外扉２の前面に露出する部分であって、外形が略矩形であって、奥行き方向に外扉２の厚みと同一の厚みを有している。したがって、化粧枠５１を外扉２に取り付けた場合に凸部５１ｂの前面と外扉２の前面とが面一になる。
【００２５】
図３及び図４に示すように、化粧枠５１には、新聞取出口５１ｃが形成してある。新聞取出口５１ｃは、新聞を取り出すための開口であって、化粧枠５１の枠部５１ａと凸部５１ｂ、すなわち、化粧枠５１を貫通するように形成してある。新聞取出口５１ｃは、正面視矩形に形成してあり、その開口幅は、新聞が通るように、新聞の長手方向の長さと略同一となるように形成してある。
【００２６】
図４に示すように、新聞取出口５１ｃは、奥方が低く手前側が高くなるように形成した階段状の天井面５１ｃ１を有しており、その境界部分には、新聞の取出方向と交差するように、下方に突出した凸条５１ｃ２が形成してある。凸条５１ｃ２は、外扉２を伝った雨水などの伝い水を滴下させるためのもので、天井面５１ｃ１の最下位置となるように形成してある。
【００２７】
また、図４に示すように、新聞取出口５１ｃは、曲面５１ｃ３と平面５１ｃ４とが連設された底面を有している。曲面５１ｃ３は、新聞の先端をスムーズに導くためのもので、奥方から手前側（平面端部）に向けて漸次高くなるように形成してある。平面５１ｃ４は、水切り性の向上を意図したもので、奥方（曲面端部）から手前側に向けて漸次低くなるように、傾斜している。
【００２８】
また、図４に示すように、新聞取出口５１ｃの奥方上方部には、フラッパ５２が支承してある。フラッパ５２は、奥方から手前側に向けて漸次低くなるように傾斜した状態で新聞取出口５１ｃを閉塞するもので、フラッパ５２が新聞取出口５１ｃを閉塞した状態で、フラッパ５２の手前側端部が化粧枠５１の凸部５１ｂから突出するようになっている。フラッパ５２は、透明な合成樹脂の板状体で構成してある。図４及び図５に示すように、フラッパ５２は、後縁部が厚く形成してあり、図５に示すように、両端に側縁から突出する軸部５２ａが形成してある。両端に形成した軸部５２ａは、新聞取出口５１ｃの奥方上方部にフラッパ５２が支承されるように、新聞取出口５１ｃの側面にそれぞれ設けた軸受部（図示せず）にそれぞれ支承されている。
【００２９】
また、図４及び図５に示すように、フラッパ５２は、幅方向中央部となる後縁部に凹部５２ｂを有している。凹部５２ｂは、フラッパ５２を支えるためのもので、断面視半円筒形に形成してある。図４に示すように、フラッパ５２は、一端５３ａが凹部５２ｂに収容され、他端５３ｂが化粧枠５１に取り付けられた支持金具５３によって支持されている。支持金具５３は、板状体をＬの字状に折り曲げることにより、形成したもので、図６に示すように、他端５３ｂは、ねじ５４によって化粧枠５１に取り付けられている。
【００３０】
図７及び図８に示すように、複数の化粧枠５１に左右一対となるガイド側板６１が取り付けてある。ガイド側板６１は、化粧枠５１の側部を補強するとともに、新聞収納ラック３から繰り出された新聞の幅方向の移動を規制するもので、左側のガイド側板６１Ｌと右側のガイド側板６１Ｒとは左右対称に形成してある。
【００３１】
一対のガイド側板は６１、それぞれ、一枚の鋼板を折り曲げることにより形成してあり、図９に示すように、それぞれガイド部６１ａ、取付部６１ｂ、補強部６１ｃを有している。ガイド部６１ａは、新聞の受入方向に延在する部分であり、新聞を受け入れるために、延在端部６１ａ１が外方に拡がるように傾斜している。取付部６１ｂは、化粧枠５１に取り付けられる部分であり、ガイド部６１ａに直角に連なっている。補強部６１ｃは、ガイド側板６１の強度を増す部分であり、ガイド部６１ａと平行であって、取付部６１ｂに直角に連なっている。
【００３２】
図９に示すように、一対のガイド側板６１の間には、新聞取出口５１ｃ（化粧枠５１）ごとに、上ガイド板６２とした下ガイド板６３とが配設してある。
【００３３】
上ガイド板６２は、新聞収納ラック３から最初のほうに繰り出された新聞を新聞取出口５１ｃに搬出するためのものであって、一枚の鋼板を折り曲げることにより、形成してある。図１０に示すように、上ガイド板６２は、前縁６２ａが上方に折り返してあり、この折り返した前縁６２ａが新聞取出口５１ｃの上縁後方部（化粧枠５１）に連なる部分となる。また、上ガイド板６２は、両側縁６２ｂが上方に折り返してあり、この折り返した両側縁６２ｂがガイド側板６１への取付部となる。さらに、上ガイド板６２は、後縁６２ｃが上方に丸まるように折り曲げてある。
【００３４】
このように形成した上ガイド板６２は、図１０に示すように、折り返した前縁６２ａが新聞取出口５１ｃの上縁後方部（化粧枠５１）に連なり、かつ、新聞取出口５１ｃの上縁後方部から奥方（新聞収納ラック３）に向けて漸次高くなる態様で傾斜している。そして、フラッパ５２に過大な力が作用した場合には、前縁６２ａがフラッパ５２（特に後縁部）を支えるようになっている。
【００３５】
下ガイド板６３は、新聞収納ラック３から最後のほうに繰り出された新聞を新聞取出口５１ｃに搬出するためのもので、一枚の鋼板を折り曲げることにより、形成してある。図１０に示すように、下ガイド板６３は、前縁６３ａが下方に丸まるように折り曲げてあり、図１１に示すように、折り曲げた前縁６３ａは側方に突出し、軸６３ａ１が構成される。また、図１０に示すように、下ガイド板６３は、後縁６３ｂが下方に丸まるように折り曲げてあり、図１２に示す折り曲げた後縁６３ｂは側方に突出し、係止片６３ｂ１が構成される。
【００３６】
このように形成した下ガイド板６３は、前縁部側方に構成された軸６３ａ１をガイド側板６１に挿通することにより、折り返した前縁６３ａが新聞取出口５１ｃの下縁後方部（化粧枠５１）に連なるとともに、軸６３ａ１（前縁）を回動中心として回動可能となっている。また、下ガイド板６３は、自重によって、後縁部側方に構成された係止片６３ｂ１がガイド側板６１に当接することにより、ガイド側板６１に係止され、新聞取出口５１ｃの下縁後方部から奥方（新聞収納ラック３）に向けて漸次低くなる態様で傾斜している。
【００３７】
また、図１１に示すように、下ガイド板６３の前縁が連なる新聞取出口５１ｃの下縁後方部（化粧枠５１）には、複数の水抜通路５１ｄが形成してある。水抜通路５１ｄは、新聞取出口５１ｃの奥方に侵入した雨水等を排出させるためのもので、水抜通路５１ｄから排出された雨水等は、図示せぬ樋部材等によって、新聞自動販売機の外部に排出させるようになっている。
【００３８】
上述した新聞自動販売機は、販売待機時に、図１０に示すように、フラッパ５２が奥方から手前側に傾斜した状態で新聞取出口５１ｃを閉塞している。そして、硬貨投入口２２等から対価が収受され、新聞が選択されると、新聞自動販売機は、選択された新聞が収納されている新聞収納ラック３に販売指令が出力され、新聞収納ラック３は、新聞を繰り出すことになる。繰り出された新聞は、上ガイド板６２、下ガイド板６３及びガイド側板６１にガイドされ、新聞取出口５１ｃに搬出される。
【００３９】
搬出された新聞は、新聞自動販売機の新聞取出口装置５において、フラッパ５２を押し開け、新聞取出口５１ｃから商品の一部が現れる。この状態になると、新聞は利用者によって取り出し可能である。ここで、利用者が新聞を取り出すと、フラッパ５２は自重によって新聞取出口５１ｃを閉塞し、待機状態となる。
【００４０】
ところで、販売する新聞を変更する場合には、外扉２を開放し、新聞収納ラック３に収納してある新聞を入れ替えるとともに、プレート４１を入れ替えることになる。このとき、下ガイド板６３を回動させれば、プレート４１の入れ替え操作のためのスペースが確保される。
【００４１】
上述した新聞自動販売機によれば、新聞収納ラック３に多数の新聞を収納するようにした場合であっても、最初のほうに繰り出される新聞は上ガイド板６２にガイドされ、最後のほうに繰り出される新聞は下ガイド板６３に案内されるので、新聞を確実に新聞取出口５１ｃに搬出できる。
【００４２】
また、化粧枠５１に一対のガイド側板６１が取り付けられ、前縁６２ａが新聞取出口５１ｃの上縁後方部となる化粧枠５１に連なる上ガイド板６２と、前縁６３ａが新聞取出口５１ｃの下縁後方部となる化粧枠５１に連なる下ガイド板６３とを備えたので、攻撃されやすい新聞取出口５１ｃの周りが補強され、防盗性を向上させることができる。
【００４３】
また、フラッパ５２に過大な力が作用した場合に上ガイド板６２がフラッパ５２を支えるので、フラッパ５２が破壊される事態を抑制できる。
【００４４】
また、下ガイド板６３の前縁６３ａが連なる化粧枠５１の下縁後方部に水抜通路５１ｄを設けたので、新聞取出口５１ｃの後方部に雨水が浸入しても、水抜通路５１ｄから排出させることができる。
【００４５】
また、下ガイド板６３が軸６３ａ１を回動中心として回動可能であって、後縁６３ｂから側方に突出した係止片６３ｂ１がガイド側板６１に当接することにより係止されるので、必要に応じて下ガイド板６３を回動させることができる。
【図面の簡単な説明】
【００４６】
【図１】本発明の実施の形態である新聞自動販売機を示す正面図である。
【図２】新聞取出口装置と新聞収納ラックとの関係を示す斜視図である。
【図３】新聞取出口装置の詳細を示す斜視図である。
【図４】新聞取出口装置の詳細を示す側断面図である。
【図５】フラッパを示す斜視図である。
【図６】フラッパとフラッパを支持する支持金具とを示す斜視図である。
【図７】ガイド側板が取り付けられた新聞取出口装置を示す斜視図である。
【図８】ガイド側板が取り付けられた新聞取出口装置を示す斜視図である。
【図９】ガイド側板が取り付けられた新聞取出口装置を示す拡大斜視図である。
【図１０】ガイド側板が取り付けられた新聞取出口装置を示す側断面図である。
【図１１】ガイド側板が取り付けられた新聞取出口装置を示す拡大斜視図である。
【図１２】ガイド側板及び新聞取出口装置が取り付けられた外扉を背面から見た図である。
【図１３】ガイド側板及び新聞取出口装置が取り付けられた外扉の一部を破断した斜視図である。
【符号の説明】
【００４７】
１    本体キャビネット
２    外扉
３    新聞収納ラック
４    表示選択装置
４１    プレート
４２    選択ボタン
４３    展示部
４３ａ    パネル
５    新聞取出口装置
５１    化粧枠
５１ａ    枠部
５１ｂ    凸部
５１ｃ    新聞取出口
５１ｄ    水抜通路
５２    フラッパ
５３    支持金具
６１    ガイド側板
６１ａ    ガイド部
６１ｂ    取付部
６１ｃ    補強部
６２    上ガイド板
６２ａ    前縁
６２ｃ    後縁
６２ｂ    両側縁
６３    下ガイド板
６３ａ    前縁
６３ａ１    軸
６３ｂ    後縁部
６３ｂ１    係止片
【図１】
2010003261.tif 000003
【図２】
2010003261.tif 000004
【図３】
2010003261.tif 000005
【図４】
2010003261.tif 000006
【図５】
2010003261.tif 000007
【図６】
2010003261.tif 000008
【図７】
2010003261.tif 000009
【図８】
2010003261.tif 000010
【図９】
2010003261.tif 000011
【図１０】
2010003261.tif 000012
【図１１】
2010003261.tif 000013
【図１２】
2010003261.tif 000014
【図１３】
2010003261.tif 000015